(57)【要約】【課題】ユーザの煩わしさを低減する。【解決手段】報知情報送信装置からの報知要求情報の入力に応じて報知装置に報知を実行させ（Ｓ１０２）、報知情報送信装置から入力される報知要求情報がユーザの操作に応じて報知を停止してもよい情報であるか否かを判定し（ＳＳ１０４）、ユーザの操作に応じて報知を停止してもよい情報であると判定された場合、ユーザに報知停止の指示を確認し（Ｓ１０６）、ユーザによる報知停止の指示が確認された場合、報知を停止させる（Ｓ１０８）。【選択図】図３
2007320451.tif 000002
【特許請求の範囲】
【請求項１】
車両各部および車両周辺の状況に応じた報知要求情報を送信する報知情報送信装置から入力される報知要求情報に対して、ユーザの操作に応じて報知を停止してもよい情報であるか否かを示すテーブルを記憶する記憶手段と、
前記報知情報送信装置からの前記報知要求情報の入力に応じて報知装置に報知を実行させる第１の報知制御手段と、
前記テーブルに示された前記情報に基づいて、前記報知情報送信装置から入力された前記報知要求情報がユーザの操作に応じて報知を停止してもよい情報であるか否かを判定する報知停止可否判定手段と、
前記報知停止可否判定手段によって前記報知情報送信装置から入力される前記報知要求情報がユーザの操作に応じて報知を停止してもよい情報であると判定された場合、ユーザに報知停止の指示を確認する報知停止確認手段と、
前記報知停止確認手段によってユーザによる報知停止の指示が確認された場合、前記第１の報知制御手段による前記報知を停止させる報知停止手段と、を備えたことを特徴とする報知制御装置。
【請求項２】
前記報知停止可否判定手段によって前記報知情報送信装置から入力される前記報知要求情報がユーザの操作に応じて報知を停止してもよい情報でないと判定された場合、または、前記報知停止確認手段によってユーザによる報知停止の応答が確認されない場合、前記第１の報知制御手段による前記報知を続行させる報知続行手段を備えたことを特徴とする請求項１に記載の報知制御装置。
【請求項３】
前記報知情報送信装置から前記報知要求情報に対する報知停止要求があるか否かを判定する報知停止要求判定手段を備え、
前記報知停止手段は、前記報知停止要求判定手段によって前記報知情報送信装置から前記報知要求情報に対する報知停止要求があるとされた場合、前記報知続行手段によって続行されている前記報知を停止させることを特徴とする請求項２に記載の報知制御装置。
【請求項４】
前記報知装置は、表示、音、振動の少なくとも１つの報知方法を用いて報知するもので、
前記テーブルには、更に、前記報知情報送信装置から入力される報知要求情報に対して、前記報知装置から報知させる報知方法が示されており、
前記第１の報知制御手段は、前記テーブルに示された前記報知方法に従って前記報知装置に報知を実行させることを特徴とする請求項１ないし３のいずれか１つに記載の報知制御装置。
【請求項５】
前記報知装置は、表示、音、振動の少なくとも１つの報知方法を用いて報知するもので、
前記第１の報知制御手段は、前記報知装置に報知を実行させ、前記報知停止確認手段によってユーザによる報知停止の指示が確認されない場合、よりユーザに認識されやすい報知方法で前記報知装置に報知させることを特徴とする請求項１ないし３のいずれか１つに記載の報知制御装置。
【請求項６】
前記報知装置は、表示、音、振動の少なくとも１つの報知方法を用いて報知するもので、
前記報知情報送信装置から、運転者の視線が前方であるか否かを示す情報を取得する情報取得手段と、
前記情報取得手段を介して取得した前記運転者の視線が前方であるか否かを示す情報に基づいて運転者の視線が前方であるか否かを判定する視線判定手段を備え、
前記第１の報知制御手段は、前記視線判定手段によって運転者の視線が前方でないと判定された場合、前記視線判定手段によって運転者の視線が前方であると判定された場合よりも、運転者に認識されやすい報知方法で前記報知装置に報知させることを特徴とする請求項１ないし３のいずれか１つに記載の報知制御装置。
【請求項７】
前記記憶手段には、前記報知情報送信装置から入力される報知要求情報に対して、報知対象の乗員を示す情報が記憶されており、
前記記憶手段に記憶された前記報知対象の乗員を示す情報に基づいて、前記報知情報送信装置から入力された前記報知要求情報がどの乗員を報知対象としているかを判定する報知対象判定手段を備え、
前記第１の報知制御手段は、前記報知対象判定手段によって判定された乗員を報知対象として前記報知装置に報知させることを特徴とする請求項１ないし３のいずれか１つに記載の報知制御装置。
【請求項８】
前記テーブルには、前記報知情報送信装置から入力される報知要求情報に対して、報知の優先順位を識別するための優先度が示されており、
前記第１の報知制御手段は、前記報知情報送信装置から複数の報知要求情報の入力がある場合、前記テーブルに示された前記優先度に従って前記報知情報送信装置から入力された前記複数の報知要求情報の中で最も優先度の高い報知要求情報を優先して前記報知装置に報知させることを特徴とする請求項１ないし３のいずれか１つに記載の報知制御装置。
【請求項９】
前記第１の報知制御手段は、前記最も優先度の高い報知要求情報以外の前記報知要求情報の入力があることをユーザが認識できるように前記報知装置に報知させることを特徴とする請求項８に記載の報知制御装置。
【請求項１０】
前記報知装置は、複数の表示部により報知するもので、
前記報知情報送信装置から入力された前記報知要求情報に該報知要求情報と関連する詳細情報があるか否かを判定する詳細情報判定手段を備え、
前記第１の報知制御手段は、前記詳細情報判定手段によって前記報知要求情報に該報知要求情報と関連する詳細情報があると判定された場合、前記報知要求情報と前記報知要求情報と関連する詳細情報とを前記複数の表示部に別々に表示させることを特徴とする請求項１ないし９のいずれか１つに記載の報知制御装置。
【請求項１１】
前記報知停止手段により前記第１の報知制御手段による前記報知が停止された場合、前記報知を停止したことを示す情報を前記報知情報送信装置へ送信する報知停止送信手段を備えたことを特徴とする請求項１ないし１０のいずれか１つに記載の報知制御装置。
【請求項１２】
車両各部および車両周辺の状況を検出するとともに検出した状況に応じた報知要求情報を、報知装置に報知させる報知制御装置へ送信する送信手段と、
前記報知制御装置に対するユーザによる報知停止の指示に応じて、前記報知制御装置から前記報知要求情報に応じた報知を停止したことを示す情報を受信した場合、前記送信手段による前記報知要求情報の送信を停止させる報知要求情報停止手段と、を備えたことを特徴とする報知情報送信装置。
【請求項１３】
前記報知情報送信装置から入力される報知要求情報に基づいて報知が必要な状態であるか否かを判定する報知必要性判定手段を備え、
前記報知必要性判定手段によって報知が必要な状態であると判定された場合、前記第１の報知制御手段は、前記報知装置に報知を実行させることを特徴とする請求項１ないし１１のいずれか１つに記載の報知制御装置。
【請求項１４】
車両各部および車両周辺の状況を検出する報知情報送信装置から入力される報知要求情報に応じて報知装置に報知させる報知制御装置であって、
前記報知情報送信装置から入力される報知要求情報に対して、報知の優先順位を識別するための優先度を示す優先度テーブルを記憶する記憶手段と、
前記報知情報送信装置から複数の報知要求情報の入力があるか否かを判定する報知要求情報入力判定手段と、
前記報知要求情報入力判定手段によって前記報知情報送信装置から前記複数の報知要求情報の入力があると判定された場合、前記優先度テーブルに示された前記優先度に従って、最も優先度の高い報知要求情報を優先して前記報知装置に報知させる第２の報知制御手段と、備えたことを特徴とする報知制御装置。
【発明の詳細な説明】
【技術分野】
【０００１】
本発明は、車両各部および車両周辺の状況に応じた報知要求情報を送信する報知情報送信装置から入力される報知要求情報に応じて報知装置に報知させる報知制御装置および報知情報送信装置に関する。
【背景技術】
【０００２】
近年、自動車においては、ドライバの負担軽減、事故回避、予防安全等を目的として様々な運転支援装置（例えば、一定車間距離先行車追従システム、レーンキーピングシステム、ナイトビジョン、周辺監視装置等）の研究、開発が行われている。これらの運転支援装置は、使用する際に各種設定が可能であり、所望の条件で必要な情報を得たり、所望の状況に適合する範囲内で車両制御を自動的に行うことができる。
【０００３】
しかし、これらの運転支援装置は、周囲の状況に応じて、その都度、ドライバが判断して、その機能の機能、停止や、動作条件の設定のための操作を行わなければならないため、その操作が煩わしいだけでなく、装置を機能させるのに適した状況で、これを機能させることを忘れてしなう場合もあり、せっかく搭載した装置を十分に活用することができない。
【０００４】
そこで、ドライバからの指示またはネットワーク部からの通知の入力があった時は、その指示または通知の内容と、ＲＡＭに記憶されたドライバ情報と、に基づいて、ドライバにとるべき対応を選択する対応選択処理を行い、この処理で選択された対応及びパラメータをドライバに提示し、その対応を許可する指示が入力された場合には、その提示したものを、また、対応やパラメータの入力があった時はその変更されたものを、実施する対応として決定し、その決定した対応に基づく制御を、関係する各機器に実行させるようにしたものがある（例えば、特許文献１参照）。
【特許文献１】特開２００３−２５２１３０号公報
【発明の開示】
【発明が解決しようとする課題】
【０００５】
上記した特許文献１に記載された装置は、ユーザの操作に応じて報知するようになっており、ユーザが容易に報知を停止できるようになっていない。このため、例えば、運転支援装置（一定車間距離先行車追従システム、周辺監視装置など）から入力される報知要求に対する報知を停止させたい場合、ユーザは運転支援装置に設けられた電源をオフする等の操作により報知を停止させる必要がある。このように、装置個別に設けられた操作部を操作して報知を停止させるのでは、ユーザを煩わせてしまうといった問題がある。
【０００６】
また、報知要求情報が入力された場合、例えば、安全に関する重要な報知要求が入力された場合には、ユーザが確実に認識できるように、表示、音、振動などの報知方法で報知することは有効であるが、お知らせ程度の報知要求が入力された場合に、同様の報知方法で報知を実施すると煩わしく感じるといった問題がある。
【０００７】
本発明は上記問題に鑑みたもので、ユーザの煩わしさを低減することを第１の目的とする。
【０００８】
また、例えば、安全に関する重要な報知要求とお知らせ程度の報知要求が入力された場合には、安全に関する重要な報知要求を優先して報知するのが好ましいが、特許文献１、２に記載の発明では、複数の報知要求が入力された場合に、どのように報知するのか記載されていないため、安全に関する重要な報知が優先して報知されるとは限らないといった問題がある。
【０００９】
本発明は上記問題に鑑みたもので、複数の報知要求が入力された場合、ユーザに適切に報知できるようにすることを第２の目的とする。
【課題を解決するための手段】
【００１０】
本発明の第１の特徴は、車両各部および車両周辺の状況に応じた報知要求情報を送信する報知情報送信装置から入力される報知要求情報に対して、ユーザの操作に応じて報知を停止してもよい情報であるか否かを示すテーブルを記憶する記憶手段と、報知情報送信装置からの報知要求情報の入力に応じて報知装置に報知を実行させる第１の報知制御手段と、テーブルに示された情報に基づいて、報知情報送信装置から入力された報知要求情報がユーザの操作に応じて報知を停止してもよい情報であるか否かを判定する報知停止可否判定手段と、報知停止可否判定手段によって報知情報送信装置から入力される報知要求情報がユーザの操作に応じて報知を停止してもよい情報であると判定された場合、ユーザに報知停止の指示を確認する報知停止確認手段と、報知停止確認手段によってユーザによる報知停止の指示が確認された場合、第１の報知制御手段による報知を停止させる報知停止手段と、を備えたことである。
【００１１】
このような構成では、報知情報送信装置から入力される報知要求情報がユーザの操作に応じて報知を停止してもよい情報であると判定された場合、ユーザに報知停止の指示を確認し、ユーザによる報知停止の指示が確認された場合、報知が停止される。このように、ユーザは容易に報知停止を指示して報知を停止させることができ、ユーザの煩わしさを低減することができる。
【００１２】
また、本発明の第２の特徴は、報知停止可否判定手段によって報知情報送信装置から入力される報知要求情報がユーザの操作に応じて報知を停止してもよい情報でないと判定された場合、または、報知停止確認手段によってユーザによる報知停止の応答を確認されない場合、第１の報知制御手段による報知を続行させる報知続行手段を備えたことである。
【００１３】
このように、報知情報送信装置から入力される報知要求情報がユーザの操作に応じて報知を停止してもよい情報でないと判定された場合、または、報知停止確認手段によってユーザによる報知停止の応答が確認されない場合、ユーザによる報知停止の応答が確認することなく、第１の報知制御手段による報知を続行させることができる。
【００１４】
また、本発明の第３の特徴は、報知情報送信装置から報知要求情報に対する報知停止要求があるか否かを判定する報知停止要求判定手段を備え、報知停止手段は、報知停止要求判定手段によって報知情報送信装置から報知要求情報に対する報知停止要求があると判定された場合、報知続行手段によって続行されている報知を停止させることである。
【００１５】
このように、報知情報送信装置から報知要求情報に対する報知停止要求があるとされた場合には、続行されている報知を停止させることができる。
【００１６】
また、本発明の第４の特徴は、テーブルには、更に、報知情報送信装置から入力される報知要求情報に対して、報知装置から報知させる報知方法が示されており、第１の報知制御手段は、テーブルに示された報知方法に従って報知装置に報知を実行させることである。
【００１７】
このように、テーブルに示された報知方法に従って報知装置に報知を実行させることができる。
【００１８】
また、本発明の第５の特徴は、報知装置は、表示、音、振動の少なくとも１つの報知方法を用いて報知するもので、第１の報知制御手段は、報知装置に報知を実行させ、報知停止確認手段によってユーザによる報知停止の指示が確認されない場合、よりユーザに認識されやすい報知方法で報知装置に報知させることである。
【００１９】
このように、ユーザによる報知停止の指示が確認されない場合、よりユーザに認識されやすい報知方法となるように報知方法を段階的に変えて報知することができる。
【００２０】
また、本発明の第６の特徴は、報知装置は、表示、音、振動の少なくとも１つの報知方法を用いて報知するもので、報知情報送信装置から、運転者の視線が前方であるか否かを示す情報を取得する情報取得手段と、情報取得手段を介して取得した運転者の視線が前方であるか否かを示す情報に基づいて運転者の視線が前方であるか否かを判定する視線判定手段を備え、第１の報知制御手段は、視線判定手段によって運転者の視線が前方でないと判定された場合、視線判定手段によって運転者の視線が前方であると判定された場合よりも、運転者に認識されやすい報知方法で報知装置に報知させることである。
【００２１】
このような構成では、運転者の視線が前方でないと判定された場合、視線判定手段によって運転者の視線が前方であると判定された場合よりも、運転者に認識されやすい報知方法で報知がなされる。したがって、例えば、運転者が脇見運転をしている場合には、前方を視認して運転している場合よりも、より認識されやすい報知方法で報知がなされ、より確実にユーザに報知を気付かせることが可能である。
【００２２】
また、本発明の第７の特徴は、記憶手段に記憶された報知対象の乗員を示す情報に基づいて、報知情報送信装置から入力された報知要求情報がどの乗員を報知対象としているかを判定する報知対象判定手段を備え、該報知対象判定手段によって判定された乗員を報知対象として報知装置に報知させることである。
【００２３】
このような構成では、報知情報送信装置から入力された報知要求情報がどの乗員を報知対象としているかを判定し、この判定により特定された乗員を報知対象として報知がなされる。したがって、乗員は他の乗員を報知対象とする報知を気にする必要がなく、乗員の煩わしさを低減することが可能である。
【００２４】
また、本発明の第８の特徴は、報知情報送信装置から複数の報知要求情報の入力がある場合、テーブルに示された優先度に従って報知情報送信装置から入力された複数の報知要求情報の中で最も優先度の高い報知要求情報を優先して報知装置に報知させることである。
【００２５】
このような構成では、報知情報送信装置から複数の報知要求情報の入力がある場合、テーブルに示された優先度に従って報知情報送信装置から入力された複数の報知要求情報の中で最も優先度の高い報知要求情報を優先して報知がなされる。例えば、安全に関わる重要な報知とお知らせ程度の報知を同様に実施した場合、ユーザは、安全に関わる重要な報知に気付かなかったり、安全に関わる重要な報知に気付くのが遅れたりするといった状況が考えられるが、このような状況をなくすことが可能である。
【００２６】
また、本発明の第９の特徴は、第１の報知制御手段は、最も優先度の高い報知要求情報以外の報知要求情報の入力があることをユーザが認識できるように報知装置に報知させることである。
【００２７】
このように、最も優先度の高い報知要求情報以外の報知要求情報の入力があることをユーザが認識できるように報知がなされるので、ユーザは、最も優先度の高い報知要求情報以外の報知要求情報の入力があることを認識することが可能である。
【００２８】
また、本発明の第１０の特徴は、報知情報送信装置から入力された報知要求情報に該報知要求情報と関連する詳細情報があるか否かを判定する詳細情報判定手段を備え、第１の報知制御手段は、詳細情報判定手段によって報知要求情報に該報知要求情報と関連する詳細情報があると判定された場合、報知要求情報と報知要求情報と関連する詳細情報とを複数の表示部に別々に表示させることである。
【００２９】
このような構成では、報知要求情報に該報知要求情報と関連する詳細情報があると判定された場合、報知要求情報と報知要求情報と関連する詳細情報とが複数の表示部に別々に表示されるので、ユーザは、複数の表示部により報知要求情報と報知要求情報と関連する詳細情報とを同時に認識することが可能である。
【００３０】
また、本発明の第１１の特徴は、報知停止手段により第１の報知制御手段による報知を停止させた場合、報知を停止したことを示す情報を報知情報送信装置へ送信する報知停止送信手段を備えたことである。
【００３１】
このような構成では、報知停止手段により第１の報知制御手段による報知が停止された場合、報知を停止したことを示す情報を報知情報送信装置へ送信される。したがって、報知情報送信装置は、この報知を停止したことを示す情報を受信することにより、ユーザの報知停止の指示に応じて報知が停止されたことを認識し、新たな報知要求情報の送信が必要である場合には、新たな報知要求情報を送信することが可能である。
【００３２】
また、本発明の第１２の特徴は、車両各部および車両周辺の状況を検出するとともに検出した状況に応じた報知要求情報を、報知装置に報知させる報知制御装置へ送信する送信手段と、報知制御装置に対するユーザによる報知停止の指示に応じて、報知制御装置から報知要求情報に応じた報知を停止したことを示す情報を受信した場合、送信手段による報知要求情報の送信を停止させる報知要求情報停止手段と、を備えたことである。
【００３３】
このような構成では、報知制御装置に対するユーザによる報知停止の指示に応じて、報知制御装置から報知要求情報に応じた報知を停止したことを示す情報を受信した場合、車両各部および車両周辺の状況を検出するとともに検出した状況に応じた報知要求情報の報知制御装置への送信が停止される。このように報知情報送信装置側で報知が停止されたことを認識し、報知要求情報の送信を停止することができる。
【００３４】
また、本発明の第１３の特徴は、報知情報送信装置から入力される報知要求情報に基づいて報知が必要な状態であるか否かを判定する報知必要性判定手段を備え、報知必要性判定手段によって報知が必要な状態であると判定された場合、第１の報知制御手段は、報知装置に報知を実行させることである。
【００３５】
このような構成では、報知必要性判定手段によって報知が必要な状態であると判定された場合、報知が実行される。このように、報知制御装置側で報知の必要性を判断して、報知装置に報知を実行させることができる。
【００３６】
また、発明の第１４の特徴は、車両各部および車両周辺の状況を検出する報知情報送信装置から入力される報知要求情報に応じて報知装置に報知させる報知制御装置であって、報知情報送信装置から入力される報知要求情報に対して、報知の優先順位を識別するための優先度を示す優先度テーブルを記憶する記憶手段と、報知情報送信装置から複数の報知要求情報の入力があるか否かを判定する報知要求情報入力判定手段と、報知要求情報入力判定手段によって報知情報送信装置から複数の報知要求情報の入力があるか否かを判定された場合、優先度テーブルに示された優先度に従って、最も優先度の高い報知要求情報を優先して報知装置に報知させる第２の報知制御手段と、備えたことである。
【００３７】
このような構成では、報知情報送信装置から複数の報知要求情報の入力があるか否かを判定された場合、優先度テーブルに示された優先度に従って、最も優先度の高い報知要求情報を優先して報知がなされる。このように、複数の報知要求が入力された場合、ユーザに適切に報知することができる。
【発明を実施するための最良の形態】
【００３８】
（第１実施形態）
本実施形態に係る報知情報送信装置および報知制御装置の全体構成を図１に示す。報知制御装置１０には、報知情報送信装置として、ボデー系ＥＣＵ２０、乗員モニタ３０、エアコンＥＣＵ４０および走行系ＥＣＵ５０が接続されており、また、報知装置として、表示機６０〜６２、音声装置６３、振動装置（シート）６４および振動装置（ステアリング）６５が接続されている。
【００３９】
報知情報送信装置２０〜５０は、車両各部および車両周辺の状況を検出するとともに検出した状況に応じた報知要求情報を報知制御装置１０へ送信する。
【００４０】
報知制御装置１０は、ＣＰＵ、メモリ、Ｉ／Ｏ等を備えたコンピュータとして構成されており、報知制御装置１０のＣＰＵは、メモリに記憶されたプログラムに従って各種処理を実施する。
【００４１】
また、報知制御装置１０には、操作スイッチ（図中では、操作ＳＷと記す）１０ａからユーザの操作に応じた信号が入力されるようになっている。この操作スイッチ１０ａは、後述する表示機６０〜６２の表示部に重ねて設けられたタッチスイッチおよびステアリングに設けられたステアリングスイッチ（いずれも図示せず）によって構成されている。
【００４２】
表示機６０は、メータに設けられた表示部とＨＵＤ（ヘッドアップディスプレイ）に設けられた表示部として構成されており、表示機６１は、ナビゲーション装置の表示部として構成されており、表示機６２は、ＲＳＥ（リアシートエンタテーメント）の表示部として構成されている。これらの表示機６０〜６２は、報知制御装置１０から入力される信号に応じた画像を表示部に表示する。
【００４３】
音声装置６３は、スピーカ（図示せず）を有し、報知制御装置１０から入力される音声信号に応じた音をスピーカから出力させる。
【００４４】
振動装置（シート）６４は、報知制御装置１０から入力される信号に応じて振動する振動部が座席シート毎に設けられて構成されており、該振動部の振動により各座席の乗員に報知を行う。
【００４５】
振動装置（ステアリング）６５は、報知制御装置１０から入力される信号に応じて振動する振動部がステアリングに設けられて構成されており、該振動部の振動により各座席の乗員に報知を行う。
【００４６】
上記した報知制御装置１０のメモリには、報知情報送信装置２０〜５０から入力される報知要求情報に対して、ユーザの操作に応じて報知を停止してもよい情報であるか否かを示すテーブルが記憶されている。報知制御装置１０は、このテーブルに示された情報に基づいて、報知情報送信装置２０〜５０から入力された報知要求情報が、ユーザの操作に応じて報知を停止してもよい情報であるか否かを判定する。
【００４７】
図２に、このテーブルの詳細を示す。報知情報送信装置２０〜５０から入力される報知要求情報には、安全に関する安全系報知要求情報と利便に関する利便系報知要求情報とがある。このテーブルには、報知情報送信装置２０〜５０から入力される報知要求情報が安全系報知要求情報と利便系報知要求情報とに分類され、報知要求情報毎に報知方法（表示、音、振動）が示されている。また、このテーブルには、図示してないが、表示による報知に関して、安全系報知要求情報に関する表示については赤色、利便系報知要求情報に関する表示については緑色といったように、報知要求情報毎に表示色が示されている。
【００４８】
安全系報知要求情報には、例えば、居眠り警告、歩行者検出、ＶＳＣ（Ｖｅｈｉｃｌｅ  Ｓｔａｂｉｌｉｔｙ  Ｃｏｎｔｒｏｌ）感知、シートベルトバックル解離、周辺監視警報、ＥＴＣゲート接近等の報知要求情報があり、利便系報知要求情報には、例えば、燃料給油推薦、雨天時窓空き警告等の報知要求情報がある。
【００４９】
本実施形態において、安全系報知要求情報はユーザの操作に応じて報知を停止してはいけない情報、利便系報知要求情報はユーザの操作に応じて報知を停止してもよい情報として扱われる。
【００５０】
例えば、居眠り警告は、ユーザの操作に応じて報知を停止してはいけない安全系報知要求情報であり、表示、音および振動により報知するように定められている。また、例えば、雨天時窓空き警告は、ユーザの操作に応じて報知を停止してもよい利便系報知要求情報であり、表示のみにより報知するように定められている。なお、安全系報知要求情報はユーザに確実に認識されることが必要とされるため、利便系報知要求情報と比較して、よりユーザに認識されやすいような報知方法で報知するように定められている。
【００５１】
次に、図３に従って、報知情報送信装置２０〜５０および報知制御装置１０の処理について説明する。報知情報送信装置２０〜５０の処理を図３の右側に、図３の左側に報知制御装置１０の処理を示す。なお、報知情報送信装置２０〜５０は、送信する報知要求情報の内容は異なるが、図３右側に示すように共通の処理として表される。ここでは、報知情報送信装置２０の処理として説明する。イグニッションスイッチがオンして動作状態となると、報知情報送信装置２０は、図３に示す処理を開始し、報知制御装置１０は、図３に示す処理を周期的に実施する。
【００５２】
報知制御装置１０は、まず、報知要求があるか否かを判定する（Ｓ１００）。具体的には、報知情報送信装置２０から報知要求情報が入力されたか否かにより報知要求があるか否かを判定する。
【００５３】
報知情報送信装置２０から報知要求情報が入力されない場合、Ｓ１００の判定はＮＯとなり、Ｓ１００の判定を繰り返す。
【００５４】
報知情報送信装置２０が報知制御装置１０へ報知要求情報を送信すると（Ｓ２００）、Ｓ１００の判定はＹＥＳとなり、報知制御装置１０は、報知を実行する（Ｓ１０２）。具体的には、図２に示したテーブルに従って、報知情報送信装置２０から入力された報知要求情報に対応する報知方法を特定し、特定した報知方法で報知装置６０〜６５に報知させる。
【００５５】
例えば、居眠り警報についての報知要求情報が入力された場合には、表示、音、振動により報知が実施される。この場合、表示部への表示は赤色で表示される。また、雨天時窓空き警告についての報知要求情報が入力された場合には、表示のみにより報知が実施される。この場合、表示部への表示は緑色で表示される。
【００５６】
次に、弱い報知要求であるか否かを判定する（Ｓ１０４）。本実施形態において、安全系報知要求情報は、ユーザの操作に応じて報知を停止してはならない強い報知要求であり、利便系報知要求情報は、ユーザの操作に応じて報知を停止してもよい弱い報知要求であるものとして、報知情報送信装置２０から入力された報知要求情報が弱い報知要求であるか否かを判定する。
【００５７】
報知情報送信装置２０から利便系報知要求情報が入力されると、Ｓ１０４の判定はＹＥＳとなり、次に、ユーザに報知停止の指示を確認する（Ｓ１０６）。具体的には、表示機６０〜６２の表示部に、例えば、「警報停止？」といったメッセージとともに「はい」、「いいえ」の選択を促す画面を表示させ、報知を停止するか否かを確認する。
【００５８】
ここで、ユーザが「はい」を選択した場合、Ｓ１０６の判定はＹＥＳとなり、次に、報知を停止させる（Ｓ１０８）。具体的には、先のＳ１０２にて報知装置６０〜６５に実施させた報知を停止させる。
【００５９】
次に、報知を停止したことを示す情報を報知情報送信装置２０へ送信する（Ｓ１１０）。
【００６０】
報知情報送信装置２０は、この報知を停止したことを示す情報を受信すると（Ｓ２０２）、Ｓ２００にて送信した報知要求情報の送信を停止させ（Ｓ２０４）、報知要求を停止させたことを示す情報を報知制御装置１０へ送信し、本処理を終了する。
【００６１】
また、報知制御装置１０は、報知情報送信装置２０から報知要求を停止させたことを示す情報を受信すると（Ｓ１１２）、次に、システム終了するか否かを判定する（Ｓ１１３）。具体的には、イグニッションスイッチがオフするか否かに基づいてシステム終了するか否かを判定する。
【００６２】
イグニッションスイッチがオフされない場合、Ｓ１１３の判定はＮＯとなり、Ｓ１００へ戻り、上記した処理を繰り返す。
【００６３】
また、イグニッションスイッチがオフされると、Ｓ１１３の判定はＹＥＳとなり、本処理を終了する。
【００６４】
また、表示機６０〜６２の表示部に表示された報知を停止するか否かを確認する画面に従って、ユーザが「いいえ」を選択した場合、Ｓ１０６の判定はＮＯとなり、次に、報知を続行させる（Ｓ１１４）。具体的には、先のＳ１０２にて報知装置６０〜６５に実施させた報知を続行させる。
【００６５】
このように、安全系報知要求情報が入力された場合には、ユーザに報知停止の指示の確認がなされることなく、報知装置６０〜６５による報知が続行される。
【００６６】
次に、報知停止要求があるか否かを判定する（Ｓ１１６）。本実施形態における報知情報送信装置２０は、Ｓ２００における報知要求情報の送信に対して、報知の必要がなくなると報知の停止を指示するための報知停止要求情報を報知制御装置１０へ送信するようになっている。報知制御装置１０は、この報知停止要求情報を受信したか否かに基づいて報知停止要求があるか否かを判定する。
【００６７】
報知情報送信装置２０から報知停止要求情報を受信しない場合、Ｓ１１６の判定はＮＯとなり、Ｓ１１４の処理を繰り返す。
【００６８】
また、報知停止要求情報を受信すると、Ｓ１１６の判定はＹＥＳとなり、Ｓ１０８へ進む。
【００６９】
このように、報知情報送信装置２０から報知停止要求情報を受信すると、報知装置６０〜６５による報知が停止される。
【００７０】
また、報知情報送信装置２０から安全系報知要求情報が入力された場合、Ｓ１０４の判定はＮＯとなり、Ｓ１１４へ進む。
【００７１】
このように、報知情報送信装置２０から安全系報知要求情報が入力された場合には、ユーザに報知停止の指示を確認することなく、報知装置６０〜６５による報知が続行される。
【００７２】
上記した構成によれば、報知情報送信装置から入力される報知要求情報がユーザの操作に応じて報知を停止してもよい情報であると判定された場合、ユーザに報知停止の指示が確認され、ユーザによる報知停止の指示が確認された場合、報知が停止される。このように、ユーザは容易に報知停止を指示して報知を停止させることができ、ユーザの煩わしさを低減することができる。
【００７３】
また、報知情報送信装置から入力される報知要求情報がユーザの操作に応じて報知を停止してもよい情報でないと判定された場合、または、ユーザによる報知停止の応答が確認されない場合には、ユーザによる報知停止の応答を確認することなく、報知を続行させることができる。
【００７４】
また、報知情報送信装置から報知要求情報に対する報知停止要求があると判定された場合には、続行されている報知を停止させることができる。
【００７５】
また、テーブルに示された報知方法に従って報知装置に報知を実行させることができる。
【００７６】
また、報知装置による報知を停止させた場合、報知を停止したことを示す情報を報知情報送信装置へ送信することができる。
【００７７】
なお、上記実施形態では、報知制御装置に対する報知停止指示をユーザの操作によって行うものとして説明したが、次に記載するように、ユーザの操作ではなく自動的に報知停止指示を行うようにしてもよい。
【００７８】
例えば、ユーザの操作履歴から学習したモデル（例えばベイジアンネットや協調フィルタなど）を用いることにより、推定された車両各部および車両周辺の状況に応じて報知制御装置に対する報知停止指示を自動的に出す。
【００７９】
このように車両の状態をセンシングし、報知停止指示を自動的に出力することにより、例えば、「右折中」を検出し自動的に弱い報知を停止することが可能となる。
【００８０】
また、車両各部および車両周辺の状況を予測し、予測した状況に対して報知制御装置に対する報知停止の指示を自動的に出すようにしても良い。この場合、予測にはニューラルネットなどを用いることができる。
【００８１】
このような構成によれば、例えば「１０秒後に右折する」ということをナビゲーション装置によって得られる検出現在位置と走行経路などから判定し、自動的に弱い報知を停止することが可能となる。
【００８２】
（第２実施形態）
本実施形態に係る報知制御装置１０の処理を図４に示す。なお、本実施形態に係る報知制御装置１０、報知情報送信装置２０〜５０および報知装置６０〜６５の構成は、図１に示した第１実施形態の構成と同じである。
【００８３】
上記第１実施形態における報知制御装置１０は、図２に示されたテーブルに示された情報に従って報知情報送信装置２０〜５０から入力された報知要求情報に対応する報知方法を特定し、特定した報知方法で報知装置６０〜６５に報知させた後、報知要求情報が利便系報知要求情報である場合にユーザに報知停止の指示を確認する例を示したが、本実施形態では、予め定められた報知実行レベルに示された報知方法に従って報知装置６０〜６５に報知させた後、ユーザによる報知停止の指示が確認されない場合、よりユーザに認識されやすい報知方法で報知装置６０〜６５に報知させ、ユーザに報知停止の指示を確認する。以下、上記実施形態と同一部分には、同一符号を付して説明を省略し、異なる部分を中心に説明する。
【００８４】
まず、報知制御装置１０は、報知要求があるか否かを判定し（Ｓ１００）、報知情報送信装置２０から報知要求情報が送信されると、Ｓ１００の判定はＹＥＳとなり、次に、報知実行レベル１にて報知装置６０〜６５に報知を実行させる（Ｓ１２０）。
【００８５】
本実施形態では、図５に示すように、報知実行レベルに応じて報知方法が示されている。報知実行レベル１は、表示のみによる報知、報知実行レベル２は、表示および音による報知、報知実行レベル３は、表示、音および振動（シート、ステアリング）による報知として定められている。
【００８６】
Ｓ１２０では、表示のみによる報知を実施し、次に、ユーザに報知停止の指示を確認する（Ｓ１２４）。具体的には、表示機６０〜６２の表示部に、例えば、「警報停止？」といったメッセージを選択可能に表示させ、報知を停止するか否かを確認する。
【００８７】
ここで、ユーザが「警報停止？」を選択した場合、Ｓ１２４の判定はＹＥＳとなり、次に、先のＳ１２４にて実施した報知を停止させ（Ｓ１０８）、次に、システム終了するか否かを判定する（Ｓ１１３）。
【００８８】
イグニッションスイッチがオフされない場合、Ｓ１１３の判定はＮＯとなり、Ｓ１００へ戻り、上記した処理を繰り返す。
【００８９】
また、イグニッションスイッチがオフされると、Ｓ１１３の判定はＹＥＳとなり、本処理を終了する。
【００９０】
また、Ｓ１２０における報知に対し、一定時間が経過してもユーザによって「警報停止？」が選択されない場合、Ｓ１２４の判定はＮＯとなり、次に、報知実行レベル２にて報知装置６０〜６５に報知を実行させる（Ｓ１２６）。具体的には、表示機６０〜６２の表示部に、例えば、「警報停止？」といったメッセージを選択可能に表示させるとともに、音声装置６３から「警報を停止しますか？」といったメッセージを音声出力させ、再度、ユーザに報知停止の指示を確認する（Ｓ１２８）。
【００９１】
ここで、ユーザによって「警報停止？」が選択された場合、Ｓ１２８の判定はＹＥＳとなり、Ｓ１０８へ進む。このように、ユーザによって「警報停止？」が選択されると、報知が停止される。
【００９２】
しかし、表示と音による報知にもかかわらず一定時間が経過してもユーザによって「警報停止？」が選択されない場合、Ｓ１２８の判定はＮＯとなり、次に、報知実行レベル２にて報知装置６０〜６５に報知を実行させる（Ｓ１３０）。具体的には、表示機６０〜６２の表示部への表示、音声装置６３からの音声出力に加えて、振動装置（シート）６４および振動装置（ステアリング）６５に振動の開始を指示して、再度、ユーザに報知停止の指示を確認する（Ｓ１３２）。
【００９３】
ここで、ユーザによって「警報停止？」が選択されない場合、Ｓ１３２の判定はＮＯとなり、Ｓ１３０にて実施した報知が継続される。
【００９４】
また、ユーザによって「警報停止？」が選択されると、Ｓ１３２の判定はＹＥＳとなり、Ｓ１０８へ進む。このように、ユーザによって「警報停止？」が選択されると、報知が停止される。
【００９５】
上記したように、ユーザによる報知停止の指示が確認されない場合、よりユーザに認識されやすい報知方法となるように報知方法を段階的に変えて報知するので、より確実にユーザに報知を気付かせることができる。
【００９６】
なお、本実施形態では、Ｓ１２０、Ｓ１２６、Ｓ１３０にて報知を実行した後、Ｓ１２４、Ｓ１２８、Ｓ１３２にてユーザに報知停止の指示を確認する例を示したが、例えば、Ｓ１２０、Ｓ１２６、Ｓ１３０にて報知を実行した後、図３のＳ１０４に示したように、報知要求情報がユーザの操作に応じて報知を停止してもよい情報であるか否かを判定し、報知要求情報がユーザの操作に応じて報知を停止してもよい情報であることを判定した場合に、ユーザに報知停止の指示を確認するようにしてもよい。
【００９７】
また、図４のＳ１０８の後に、図３と同様に、Ｓ１１０、Ｓ１１２の処理を実施するようにしてもよい。
【００９８】
（第３実施形態）
本実施形態に係る報知制御装置１０の処理を図６に示す。本実施形態では、運転者の視線が前方であるか否かを判定し、運転者の視線が前方でないと判定された場合、運転者の視線が前方であると判定された場合よりも運転者に認識されやすい報知方法で報知装置６０〜６５に報知させる。
【００９９】
まず、報知制御装置１０は、報知要求があるか否かを判定し（Ｓ１００）、報知情報送信装置２０から報知要求情報が送信されると、Ｓ１００の判定はＹＥＳとなり、次に、報知情報送信装置（乗員モニタ）３０から運転者の視線が前方であるか否かを示す情報を取得する（Ｓ１４０）。
【０１００】
次に、取得した運転者の視線が前方であるか否かを示す情報に基づいて運転者の視線が前方であるか否かを判定する（Ｓ１４２）。
【０１０１】
ここで、運転者の視線が前方を向いている場合、Ｓ１４２の判定はＹＥＳとなり、次に、表示のみによる報知を実施し（Ｓ１４４）、図３のＳ１０４へ進む。
【０１０２】
また、運転者の視線が前方を向いていない場合、Ｓ１４２の判定はＮＯとなり、次に、表示および音による報知を実施し（Ｓ１４６）、図３のＳ１０４へ進む。
【０１０３】
このように、運転者の視線が前方でないと判定された場合、運転者の視線が前方であると判定された場合よりも運転者に認識されやすい報知方法で報知装置６０〜６５に報知させる。
【０１０４】
上記したように、運転者の視線が前方でないと判定された場合、視線判定手段によって運転者の視線が前方であると判定された場合よりも、運転者に認識されやすい報知方法で報知がなされる。したがって、例えば、運転者が脇見運転をしている場合には、前方を視認して運転している場合よりも、より認識されやすい報知方法で報知がなされ、より確実にユーザに報知を気付かせることが可能である。
【０１０５】
（第４実施形態）
上記実施形態では、報知装置として、表示機６０〜６２を備えた例を示したが、本実施形態に係る報知装置は、更に、助手席（Ｐ席）用に設けられた表示機（図示せず）を備えている。また、上記実施形態では、報知の対象を考慮することなく報知装置６０〜６５に報知させる例を示したが、本実施形態では、報知情報送信装置２０〜５０から入力される報知要求情報がどの乗員を報知対象としているかを判定し、この判定にとって特定した乗員を報知対象として報知装置６０〜６５に報知させる。
【０１０６】
本実施形態に係る報知制御装置１０の処理を図７に示す。まず、報知制御装置１０は、報知要求があるか否かを判定し（Ｓ１００）、報知情報送信装置２０〜５０から報知要求情報が送信されると、Ｓ１００の判定はＹＥＳとなり、次に、報知情報送信装置２０〜５０から入力される報知要求情報がどの乗員を報知対象としているかを判定する（Ｓ１５０）。
【０１０７】
本実施形態における報知制御装置１０のメモリには、図８に示すように、報知情報送信装置２０〜５０から入力される報知要求情報がどの乗員を報知対象としているかを示す情報が記憶されており、この情報に基づいて報知要求情報がどの乗員を報知対象としているかを判定する。運転者を報知対象とする報知要求情報としては、燃料給油推薦、運転者のプライバシーに関わる報知（例えば、運転者の所有する携帯電話の着信を報知する機能を有する報知情報送信装置が接続されている場合には、運転者の携帯電話の着信の報知など）があり、同乗者のみを報知対象とする報知要求情報としては、マルチメディア系動画配信情報があり、全員を報知対象とする報知要求情報としては、居眠り警告などの安全系報知要求情報がある。
【０１０８】
運転者のみを報知対象とする報知要求情報が報知情報送信装置２０〜５０から入力された場合、Ｓ１５０の判定は「運転者のみ」となり、表示機６０の表示部（ここでは、ＨＵＤ）への表示による報知を実施し（Ｓ１５２）、図３のＳ１０４へ進む。なお、表示機６０の表示部（ＨＵＤ）は、運転者によって視認され、助手席の乗員や後部座席の乗員から視認され難くなっている。
【０１０９】
このように、運転者のみを報知対象とする報知要求情報が報知情報送信装置２０〜５０から入力された場合、運転者を報知対象として設けられた表示機への表示により報知が実施される。
【０１１０】
また、同乗者のみを報知対象とする報知要求情報が報知情報送信装置２０〜５０から入力された場合、Ｓ１５０の判定は「同乗者のみ」となり、次に、表示機６１の表示部（ナビゲーション装置の表示部）、表示機６２の表示部（ＲＳＥ）および助手席（Ｐ席）用に設けられた表示機（図示せず）の表示部への表示による報知を実施し（Ｓ１５４）、図３のＳ１０４へ進む。
【０１１１】
このように、同乗者のみを報知対象とする報知要求情報が報知情報送信装置２０〜５０から入力された場合、同乗者のみを報知対象として設けられた表示機への表示により報知が実施される。
【０１１２】
また、全員を報知対象とする報知要求情報が報知情報送信装置２０〜５０から入力された場合、Ｓ１５０の判定は「全員」となり、次に、表示機６０の表示部（ＨＵＤ）、表示機６１の表示部（ナビゲーション装置の表示部）、表示機６２の表示部（ＲＳＥ）および助手席（Ｐ席）用に設けられた表示機（図示せず）の表示部への表示による報知を実施し（Ｓ１５６）、図３のＳ１０４へ進む。
【０１１３】
このように、全員を報知対象とする報知要求情報が報知情報送信装置２０〜５０から入力された場合、全員を報知対象として設けられた表示機への表示により報知が実施される。
【０１１４】
上記したように、報知情報送信装置から入力された報知要求情報がどの乗員を報知対象としているかを判定し、この判定により特定された乗員を報知対象として報知がなされる。したがって、乗員は他の乗員を報知対象とする報知を気にする必要がなく、乗員の煩わしさを低減することが可能である。
【０１１５】
（第５実施形態）
上記実施形態では、図２または図５に示された報知方法に従って報知要求情報を報知装置６０〜６５に報知させる例を示したが、本実施形態では、報知情報送信装置２０〜５０から複数の報知要求情報の入力がある場合、報知情報送信装置から入力される報知要求情報に対して報知の優先順位を識別するための優先度が示されたテーブルを用いて、複数の報知要求情報の中で最も優先度の高い報知要求情報を優先的に報知装置６０〜６５に報知させる。
【０１１６】
本実施形態において、報知情報送信装置２０〜５０から入力される報知要求情報毎に、報知方法（表示、音、振動）とともに、報知の優先順位を識別するための優先度が示されている。安全系報知要求情報については、優先度が変更されるのは好ましくないため優先度は一定値として定められているが、利便系報知要求情報のうちユーザの選択操作による応答が可能なものについては、ユーザによる選択操作の回数に応じて優先度が更新されるようになっている。
【０１１７】
図９に、ユーザの選択操作による応答が可能な利便系報知要求情報に係るテーブルの詳細を示す。このテーブルには、ユーザの選択操作による応答が可能な利便系報知要求情報毎に、報知方法（表示、音、振動）とともに、報知の優先順位を識別するための優先度が示されている。このテーブルに示された優先度は、一定期間内に実施した報知回数をユーザによる選択操作の回数で除算して求められる選択率の順によって決定される。
【０１１８】
本実施形態における報知制御装置１０は、報知情報送信装置２０〜５０から複数の報知要求情報の入力がある場合、図９に示すテーブルに示された優先度に従って報知情報送信装置から入力された複数の報知要求情報の中で最も優先度の高い報知要求情報を優先して表示機６０〜６２の表示部に表示させる。
【０１１９】
また、報知制御装置１０は、図１０に示すように、最も優先度の高い報知要求情報以外の報知要求情報の入力があることをユーザが認識できるように表示機６０〜６２の表示部に表示させる。図１０の例では、最も優先度の高い報知要求情報による表示体Ｄの後ろに重なるように表示された表示体Ｄ１〜Ｄ３によって、最も優先度の高い報知要求情報以外の報知要求情報の入力があることが示されている。
【０１２０】
上記したように、報知情報送信装置から複数の報知要求情報の入力がある場合、テーブルに示された優先度に従って報知情報送信装置から入力された複数の報知要求情報の中で最も優先度の高い報知要求情報を優先して報知がなされる。例えば、安全に関わる重要な報知とお知らせ程度の報知を同様に実施した場合、ユーザは、安全に関わる重要な報知に気付かなかったり、安全に関わる重要な報知に気付くのが遅れたりするといった状況が考えられるが、このような状況をなくすことが可能である。
【０１２１】
また、最も優先度の高い報知要求情報以外の報知要求情報の入力があることをユーザが認識できるように報知がなされるので、ユーザは、最も優先度の高い報知要求情報以外の報知要求情報の入力があることを認識することが可能である。
【０１２２】
（第６実施形態）
本実施形態に係る報知制御装置１０の処理を図１１に示す。報知情報送信装置２０〜５０から入力される報知要求情報には、報知要求情報と関連する詳細情報があるものが含まれる。本実施形態では、報知情報送信装置２０〜５０から入力された報知要求情報に該報知要求情報と関連する詳細情報があるか否かを判定し、報知要求情報に該報知要求情報と関連する詳細情報があると判定された場合、報知要求情報と該報知要求情報と関連する詳細情報とを複数の表示部に別々に表示させる。
【０１２３】
まず、報知制御装置１０は、報知要求があるか否かを判定し（Ｓ１００）、報知情報送信装置２０〜５０から報知要求情報が送信されると、Ｓ１００の判定はＹＥＳとなり、次に、報知要求情報に該報知要求情報と関連する詳細情報があるか否かを判定する（Ｓ１７０）。
【０１２４】
ここで、報知要求情報に該報知要求情報と関連する詳細情報が含まれない場合、Ｓ１７０の判定は「詳細情報なし」と判定され、次に、表示機６０の表示部（メータまたはＨＵＤ）への表示による報知を実施し（Ｓ１７２）、図３のＳ１０４へ進む。
【０１２５】
これにより、表示機６０の表示部（メータまたはＨＵＤ）には、報知要求情報に応じた報知が表示される。
【０１２６】
また、報知要求情報に該報知要求情報と関連する詳細情報が含まれる場合、Ｓ１７０の判定は「詳細情報あり」と判定され、次に、表示機６０の表示部（メータおよびＨＵＤ）に報知要求情報の概要を表示させる（Ｓ１７４）。
【０１２７】
次に、報知要求情報と関連する詳細情報を大型ディスプレイに表示させる。具体的には、報知要求情報と関連する詳細情報を表示機６１の表示部（ナビゲーション装置の表示部）に表示させ、図３のＳ１０４へ進む。
【０１２８】
図１２に、表示機６０の表示部（メータまたはＨＵＤ）と表示機６１の表示部（ナビゲーション装置の表示部）の表示例を示す。図に示すように、「トンネル接近、トンネルモード起動しますか？」といった概要が表示機６０の表示部（メータまたはＨＵＤ）に表示され、該表示部に表示された報知要求情報と関連する「Ｐ／Ｗクローズ、ライト点灯、内気モード」といった詳細情報が表示機６１の表示部（ナビゲーション装置の表示部）に表示される。
【０１２９】
このように、報知要求情報に該報知要求情報と関連する詳細情報があると判定された場合、報知要求情報と該報知要求情報と関連する詳細情報とを複数の表示部に別々に表示させるようにしてもよい。
【０１３０】
上記したように、報知要求情報に該報知要求情報と関連する詳細情報があると判定された場合、報知要求情報と報知要求情報と関連する詳細情報とが複数の表示部に別々に表示されるので、ユーザは、複数の表示部により報知要求情報と報知要求情報と関連する詳細情報とを同時に認識することが可能である。
【０１３１】
車両に設けられる表示機は、表示部の面積が比較的小さいため、このように複数の表示部に別々に情報を表示することにより、効果的に報知を行うことができる。
【０１３２】
（第７実施形態）
上記第６実施形態では、報知情報送信装置２０〜５０から入力された報知要求情報に該報知要求情報と関連する詳細情報があるか否かを判定し、報知要求情報に該報知要求情報と関連する詳細情報があると判定された場合、報知要求情報と該報知要求情報と関連する詳細情報とを複数の表示部に別々に表示させる例を示したが、本実施形態では、報知要求情報に該報知要求情報と関連する詳細情報があると判定された場合、報知要求情報とともに報知要求情報と関連する詳細情報に切り替えを実施するための選択部を表示部に表示させ、この表示部に表示された選択部がユーザによって選択操作されると、表示部の表示が報知要求情報と関連する詳細情報に切り替わる。
【０１３３】
図１３に示すように、報知制御装置１０によって表示機６０の表示部（メータおよびＨＵＤ）に、「トンネル接近、トンネルモード起動しますか？」といった内容とともに、報知要求情報と関連する詳細情報に切り替えを実施するための選択部（図中、Ｐｕｓｈと記す）Ｓを表示させ、この表示部に表示された選択部Ｓがユーザによって選択操作されると、表示部の表示が報知要求情報と関連する詳細情報に切り替わる。
【０１３４】
このように、同一の表示部において、報知要求情報と該報知要求情報と関連する詳細情報の表示が切り替わるようにしてもよい。
【０１３５】
（第８実施形態）
上記第１実施形態において、報知情報送信装置２０〜５０は、図２に示したように、報知要求を送信し（Ｓ２００）、報知制御装置１０から報知を停止したことを示す情報を受信すると（Ｓ２０２）、Ｓ２００にて送信した報知要求情報の送信を停止させる（Ｓ２０４）例を示したが、本実施形態では、報知要求情報の送信を停止させた後、再度報知の必要な状態を検出したか否かを判定し、再度報知の必要な状態を検出したと判定されると、再度、報知要求情報を送信する処理を実施する。
【０１３６】
本実施形態に係る報知情報送信装置２０〜５０の処理を図１４に示す。なお、本実施形態に係る報知情報送信装置２０〜５０は、イグニッションスイッチがオンすると、図１４に示す処理を開始する。
【０１３７】
まず、Ｓ２００にて報知要求を送信し、報知制御装置１０から報知を停止したことを示す情報を受信すると（Ｓ２０２）、報知要求情報の送信を停止させる（Ｓ２０４）。
【０１３８】
次に、再度報知の必要な状態を検出したか否かを判定する（Ｓ２０６）。具体的には、現在検出された車両各部および車両周辺の状態と、Ｓ２００にて送信した報知要求情報に含まれる状態とが一致するか否かに基づいて再度報知の必要な状態を検出したか否かを判定する。
【０１３９】
現在検出された車両各部および車両周辺の状態とＳ２００にて送信した報知要求情報に含まれる状態とが一致する場合、Ｓ２０６の判定はＮＯとなり、次に、システム終了するか否かを判定する（Ｓ２０８）。具体的には、イグニッションスイッチがオフするか否かに基づいてシステム終了するか否かを判定する。
【０１４０】
イグニッションスイッチがオフされない場合、Ｓ２０８の判定はＮＯとなり、Ｓ２０８の判定を繰り返す。
【０１４１】
また、現在検出された車両各部および車両周辺の状態とＳ２００にて送信した報知要求情報に含まれる状態とが一致しない場合、Ｓ２０６の判定はＹＥＳとなり、Ｓ２００へ戻る。
【０１４２】
このように、現在検出された車両各部および車両周辺の状態とＳ２００にて送信した報知要求情報に含まれる状態とが一致しない場合、現在検出された車両各部および車両周辺の状態に応じた報知要求情報が報知制御装置１０へ送信される。
【０１４３】
また、イグニッションスイッチがオフされると、Ｓ２０８の判定はＹＥＳとなり、本処理を終了する。
【０１４４】
上記したように、報知情報送信装置は、報知制御装置に対するユーザによる報知停止の指示に応じて、報知制御装置から報知要求情報に応じた報知を停止したことを示す情報を受信した場合、車両各部および車両周辺の状況を検出するとともに検出した状況に応じた報知要求情報の報知制御装置への送信を停止することができる。
【０１４５】
（第９実施形態）
上記第８実施形態では、報知情報送信装置２０〜５０側にて、再度再度報知の必要な状態を検出したか否かを判定し、再度再度報知の必要な状態を検出したことが判定された場合、再度、報知制御装置１０に報知要求情報を送信する例を示したが、本実施形態では、報知情報送信装置２０〜５０から周期的に報知要求情報を送信させ、報知制御装置１０側にて、報知情報送信装置２０〜５０から送信される報知要求情報に基づいて報知の必要性を判定し、報知の必要性があると判定されたときに、報知装置６０〜６５に報知を実行させる。
【０１４６】
図１５に、本実施形態に係る報知情報送信装置２０〜５０および報知制御装置１０の処理を示す。イグニッションスイッチがオンして動作状態となると、報知情報送信装置２０〜５０および報知制御装置１０は、それぞれ独立して図１５に示す処理を開始する。
【０１４７】
まず、報知情報送信装置２０〜５０は、車両各部および車両周辺の状況に応じた報知要求情報を送信する（Ｓ２１０）。具体的には、車両各部および車両周辺の状況（センサ状態、値など）を含む報知要求情報を報知制御装置１０へ送信する。
【０１４８】
次に、システム終了するか否かを判定する（Ｓ２０８）。具体的には、イグニッションスイッチがオフするか否かに基づいてシステム終了するか否かを判定する。
【０１４９】
イグニッションスイッチがオフされない場合、Ｓ２０８の判定はＮＯとなり、Ｓ２１０の判定を繰り返し、イグニッションスイッチがオフされると、本処理を終了する。
【０１５０】
一方、報知制御装置１０は、まず、報知必要性を判断する（Ｓ１８０）。具体的には、報知情報送信装置２０〜５０から周期的に送信される報知要求情報に変化があるか否かに基づいて報知必要性を判断する。
【０１５１】
報知情報送信装置２０〜５０から周期的に送信される報知要求情報に含まれる車両各部および車両周辺の状況（センサ状態、値など）に変化がない場合、Ｓ１８０の判定は「報知不要」と判定され、Ｓ１８０の判定を繰り返す。
【０１５２】
また、報知情報送信装置２０〜５０から周期的に送信される報知要求情報に含まれる車両各部および車両周辺の状況（センサ状態、値など）に変化がある場合、Ｓ１８０の判定は「報知必要」と判定され、Ｓ１０２へ進む。
【０１５３】
上記したように、報知制御装置側で、報知要求情報の送信が必要な状態であるか否かを判定し、報知情報送信装置からの報知要求情報の入力に応じて報知装置に報知を実行させることができる。
【０１５４】
（第１０実施形態）
本実施形態における報知制御装置１０のメモリには、図１６に示すように、報知情報送信装置２０〜５０から入力される報知要求情報が安全系報知要求情報と利便系報知要求情報とに分類され、報知要求情報毎に報知の優先順位を識別するための優先度を示す優先度テーブルが記憶されている。また、図示してないが、この優先度テーブルには、報知要求情報毎に報知方法も示されている。
【０１５５】
本実施形態における報知制御装置１０は、報知情報送信装置２０〜５０から複数の報知要求情報が入力されると、この優先度テーブルに示された優先度に従って、優先度の高い報知要求情報を優先して報知装置６０〜６５に報知させることにより、ユーザに適切に報知するようになっている。
【０１５６】
図１７に、本実施形態に係る報知制御装置１０の処理を示す。イグニッションスイッチがオンして動作状態となると、報知情報送信装置２０は、図１７に示す処理を開始する。
【０１５７】
まず、報知要求があるか否かを判定し（Ｓ１００）、報知情報送信装置２０〜５０から報知要求情報が送信されると、Ｓ１００の判定はＹＥＳとなり、次に、報知要求情報の入力が複数あるか否かを判定する（Ｓ１９０）。
【０１５８】
１つの報知要求情報が入力された場合、Ｓ１９０の判定はＮＯとなり、次に、報知を実施させる（Ｓ１９４）。具体的には、優先度テーブルに示された報知方法に従って報知装置６０〜６５に報知を実施させる。
【０１５９】
次に、システム終了するか否かを判定し（Ｓ１１３）、イグニッションスイッチがオフされない場合、Ｓ１１３の判定はＮＯとなり、Ｓ１００へ戻り、上記処理を繰り返す。
【０１６０】
また、複数の報知要求情報が入力された場合、Ｓ１９０の判定はＹＥＳとなり、次に、優先度参照処理を実施する（Ｓ１９２）。この優先度参照処理は、図１６に示した優先度テーブルを参照して、複数の報知要求情報の中で最も優先度の高い報知要求情報を特定する処理である。具体的には、優先度テーブルに示された優先度の最も高い報知要求情報を特定する。また、例えば、「ＥＴＣゲート接近」と「キー抜き忘れ警報」のように、同じ優先度の報知要求情報優先度が入力された場合には、安全系報知要求情報である「ＥＴＣゲート接近」を優先するように優先度の最も高い報知要求情報を特定する。このように、優先度テーブルに示された優先度の最も高い報知要求情報を特定し、Ｓ１９４へ進む。
【０１６１】
したがって、複数の報知要求情報が入力された場合、優先度の高い報知要求情報に応じた報知が実施される。
【０１６２】
また、イグニッションスイッチがオフされると、Ｓ１１３の判定はＹＥＳとなり、本処理を終了する。
【０１６３】
上記した構成によれば、報知情報送信装置から複数の報知要求情報の入力があるか否かを判定された場合、優先度テーブルに示された優先度に従って、最も優先度の高い報知要求情報を優先して報知がなされる。このように、複数の報知要求が入力された場合、ユーザに適切に報知することができる。
【０１６４】
（その他の実施形態）
例えば、上記実施形態では、報知情報送信装置として、ボデー系ＥＣＵ２０、乗員モニタ３０、エアコンＥＣＵ４０および走行系ＥＣＵ５０を用いた例を示したが、これらの装置に限定されるものではなく、例えば、一定車間距離先行車追従システム、レーンキーピングシステム、ナイトビジョンなど、他の装置を用いて構成してもよい。
【０１６５】
また、上記実施形態では、報知装置として、表示機６０〜６２、音声装置６３、振動装置（シート）６４および振動装置（ステアリング）６５を用いた例を示したが、これらの装置に限定されるものではなく、他の装置を用いて構成してもよい。
【０１６６】
また、上記実施形態では、安全系報知要求情報はユーザの操作に応じて報知を停止してはいけない情報、利便系報知要求情報はユーザの操作に応じて報知を停止してもよい情報として扱う例を説明したが、このような分類は一例であり、例えば、報知要求送信装置から入力される報知要求情報毎にユーザの操作に応じて報知を停止してもよい情報であるか否かをテーブルに示しておき、このテーブルに示された情報に基づいて報知要求送信装置から入力される報知要求情報がユーザの操作に応じて報知を停止してもよい情報であるか否かを判定するようにしてもよい。
【０１６７】
また、上記実施形態では、タッチスイッチおよびステアリングスイッチによって操作スイッチ１０ａを構成した例を示したが、タッチスイッチのみによって構成してもよく、また、ステアリングスイッチのみによって構成してもよい。
【０１６８】
なお、上記実施形態における構成と特許請求の範囲の構成との対応関係について説明すると、報知制御装置１０のメモリが記憶手段に相当し、Ｓ１０２、Ｓ１２０、Ｓ１２６、Ｓ１３０、Ｓ１４４、Ｓ１４６、Ｓ１５２、Ｓ１５４、Ｓ１５６Ｓ１７２、Ｓ１７４、Ｓ１７６が第１の報知制御手段に相当し、Ｓ１０４が報知停止可否判定手段に相当し、Ｓ１０６、Ｓ１２４、Ｓ１２８、Ｓ１３２が報知停止確認手段に相当し、Ｓ１０８が報知停止手段に相当し、Ｓ１１４が報知続行手段に相当し、Ｓ１１６が報知停止要求判定手段に相当し、Ｓ１４０が情報取得手段に相当し、Ｓ１４２が視線判定手段に相当し、Ｓ１５０が報知対象判定手段に相当し、Ｓ１７０が詳細情報判定手段に相当し、Ｓ１１０が報知停止送信手段に相当し、Ｓ２００が送信手段に相当し、Ｓ２０４が報知要求情報停止手段に相当し、Ｓ１８０が報知必要性判定手段に相当し、Ｓ１９０が報知要求情報入力判定手段に相当し、Ｓ１９４が第２の報知制御手段に相当する。
【図面の簡単な説明】
【０１６９】
【図１】第１実施形態に係る報知情報送信装置および報知制御装置の全体構成を示す図である。
【図２】報知制御装置のメモリに記憶されたテーブルの詳細を示す図である。
【図３】第１実施形態に係る報知情報送信装置および報知制御装置の処理を示すフローチャートである。
【図４】第２実施形態に係る報知制御装置の処理を示すフローチャートである。
【図５】報知実行レベルと報知方法の対応を示す図である。
【図６】第３実施形態に係る報知制御装置の処理を示すフローチャートである。
【図７】第４実施形態に係る報知制御装置の処理を示すフローチャートである。
【図８】報知要求情報がどの乗員を報知対象としているかを示す情報について説明するための図である。
【図９】優先度が示されたテーブルの詳細を示す図である。
【図１０】第５実施形態に係る報知制御装置による表示部への表示例を示す図である。
【図１１】第６実施形態に係る報知制御装置の処理を示すフローチャートである。
【図１２】第６実施形態に係る報知制御装置による表示部への表示例を示す図である。
【図１３】第７実施形態に係る報知制御装置による表示部への表示例を示す図である。
【図１４】第８実施形態に係る報知情報送信装置の処理を示すフローチャートである。
【図１５】第９実施形態に係る報知情報送信装置および報知制御装置の処理を示すフローチャートである。
【図１６】報知制御装置のメモリに記憶された優先度テーブルの詳細を示す図である。
【図１７】第１０実施形態に係る報知制御装置の処理を示すフローチャートである。
【符号の説明】
【０１７０】
１０…報知制御装置、１０ａ…操作スイッチ、２０…ボデー系ＥＣＵ、
３０…乗員モニタ、４０…エアコンＥＣＵ、５０…走行系ＥＣＵ、
６０〜６２…表示機、６３…音声装置、６４…振動装置（シート）、
６５…振動装置（ステアリング）。 
【図１】
2007320451.tif 000003
【図２】
2007320451.tif 000004
【図３】
2007320451.tif 000005
【図４】
2007320451.tif 000006
【図５】
2007320451.tif 000007
【図６】
2007320451.tif 000008
【図７】
2007320451.tif 000009
【図８】
2007320451.tif 000010
【図９】
2007320451.tif 000011
【図１０】
2007320451.tif 000012
【図１１】
2007320451.tif 000013
【図１２】
2007320451.tif 000014
【図１３】
2007320451.tif 000015
【図１４】
2007320451.tif 000016
【図１５】
2007320451.tif 000017
【図１６】
2007320451.tif 000018
【図１７】
2007320451.tif 000019